(57)【要約】【課題】冷凍サイクルの凝縮器により冷却された冷媒を減圧して蒸発器に送り出す絞り装置１０において、ニードル弁４と弁ポート２１との最小隙間を正確に設定できるようにする。【解決手段】凝縮器に接続される一次室１１と蒸発器に接続される二次室１２とを構成する円筒状の本体ケース１内に、弁ポート２１が形成された弁座部材２と、この弁座部材２と一体の円筒状のガイド部材３とを設ける。ガイド部材３内にニードル弁４を弁ポート２１側に付勢するコイルばね６を設ける。ニードル弁４のニードル部４１を弁ポート２１から一次室１１側に突出させる。ニードル部４１の先端部４１ａをストッパ部材に当接させて先端部４１ａの位置を位置決めする。ストッパ部材７の軸線Ｌ方向の位置を弁座部材２に対するねじ込み量により調整する。【選択図】図１
2015206541.tif 000002
【特許請求の範囲】
【請求項１】
冷凍サイクルの凝縮器と蒸発器との間に設けられ、前記凝縮器により冷却された冷媒を減圧して前記蒸発器に送り出す絞り装置であって、
前記凝縮器に接続される一次室と前記蒸発器に接続される二次室とを構成する本体ケースと、
弁ポートが形成され前記本体ケース内で前記一次室と前記二次室との間に配設された弁座部材と、
前記弁ポートの軸線に沿って移動することにより前記弁ポートの開度を可変にする弁体と、
前記弁体を前記一次室側に付勢するばね部材と、
前記弁体の一次室側端部に対向配置されたストッパ部材と、
を備え、
前記弁体の前記一次室側端部を前記二次室側から前記弁ポート内に挿通するとともに、該一次室側端部を前記ストッパ部材に当接させて該一次室側端部の位置を位置決めして、該弁体が前記弁座部材に着座しない構造としたことを特徴とする絞り装置。
【請求項２】
前記弁体がニードル弁で、前記一次室側端部が該ニードル弁のニードル部の先端部であり、該ニードル部の先端部を前記弁ポートから前記一次室側に突出させ、該ニードル部の先端部を前記ストッパ部材に当接させて該先端部の位置を位置決めするようにしたことを特徴とする請求項１に記載の絞り装置。
【請求項３】
前記弁座部材の前記一次室側に雌ねじ部を有するねじ穴が形成され、前記ストッパ部材が略円柱状の形状で外周に雄ねじ部が形成されるとともに、前記軸線Ｌ方向に導通孔が形成され、前記ねじ穴に前記ストッパ部材を螺合することにより、該ストッパ部材を前記弁座部材に取り付けるようにしたことを特徴とする請求項１または２に記載の絞り装置。
【請求項４】
前記弁ポートの軸線と同軸にして前記本体ケース内の前記二次室側に配置され、円柱状のガイド孔により前記弁体をガイドする円筒状のガイド部材を備え、
前記ガイド部材と前記本体ケースとの隙間を前記弁ポートから前記二次室に対して冷媒を送り出す本体側流路とするとともに、前記ガイド部材内の前記弁体の背空間を中間圧力室とし、前記弁ポートからの冷媒を前記中間圧力室に導入する中間圧力導入路を設けたことを特徴とする請求項１乃至３のいずれか一項に記載の絞り装置。
【発明の詳細な説明】
【技術分野】
【０００１】
本発明は、空気調和機等の冷凍サイクルの凝縮器と蒸発器との間に設けられる絞り装置に関する。
【背景技術】
【０００２】
従来、この種の絞り装置として、例えば特開昭５５−４４１４９号公報（特許文献１）、特開昭５５−４４１５０号公報（特許文献２）、実開昭５９−２５７５６号公報（特許文献３）及び特開２００２−５５４４号公報（特許文献４）に開示されたものがある。
【０００３】
上記従来の絞り装置は、凝縮器側（一次側）の冷媒の圧力と蒸発器側（二次側）の冷媒の圧力との差圧に応じて弁開度が変化する差圧式膨張弁であり、この差圧による力に抗して弁体を弁閉方向に付勢するコイルばね（スプリング）を有している。そして、この差圧とコイルばねのばね定数に対応して弁開度特性が決められている。
【先行技術文献】
【特許文献】
【０００４】
【特許文献１】特開昭５５−４４１４９号公報
【特許文献２】特開昭５５−４４１５０号公報
【特許文献３】実開昭５９−２５７５６号公報
【特許文献４】特開２００２−５５４４号公報
【発明の概要】
【発明が解決しようとする課題】
【０００５】
従来の絞り装置（差圧式膨張弁）では、通常運転時には想定した差圧によって弁開度も決まるため、良好な制御性が得られる。また、特許文献４のように、弁体（５）にオイル通過用通路（１１）（ブリードポート）を設けることで、弁閉状態においてもブリード流量が得られ、低負荷運転時においても、弁ポートを全閉とせずに微量流量を流すことができるため、圧縮機を低速で回し続けることが可能になる。
【０００６】
しかしながら、ブリードポートが小孔であるため、異物が詰まるとそのまま詰まりっぱなしになって、ブリード流量が得られなくまる。また、ブリード流量を小さくしようとすると、その分、小径のブリードポートにしなければならず、加工が困難になる。特に精度のよい小径のブリードポートにしようとするとなおさら難しくなる。
【０００７】
本発明は、上述の如き問題点を解消するためになされたものであり、弁開度が増加し始める前（例えば差圧が０の時）の初期開度を決める弁ポートと弁体との最小隙間を容易かつ正確に設定できる絞り装置を提供することを課題とする。
【課題を解決するための手段】
【０００８】
請求項１の絞り装置は、冷凍サイクルの凝縮器と蒸発器との間に設けられ、前記凝縮器により冷却された冷媒を減圧して前記蒸発器に送り出す絞り装置であって、前記凝縮器に接続される一次室と前記蒸発器に接続される二次室とを構成する本体ケースと、弁ポートが形成され前記本体ケース内で前記一次室と前記二次室との間に配設された弁座部材と、前記弁ポートの軸線に沿って移動することにより前記弁ポートの開度を可変にする弁体と、前記弁体を前記一次室側に付勢するばね部材と、前記弁体の一次室側端部に対向配置されたストッパ部材と、を備え、前記弁体の前記一次室側端部を前記二次室側から前記弁ポート内に挿通するとともに、該一次室側端部を前記ストッパ部材に当接させて該一次室側端部の位置を位置決めして、該弁体が前記弁座部材に着座しない構造としたことを特徴とする。
【０００９】
請求項２の絞り装置は、請求項１に記載の絞り装置であって、前記弁体がニードル弁で、前記一次室側端部が該ニードル弁のニードル部の先端部であり、該ニードル部の先端部を前記弁ポートから前記一次室側に突出させ、該ニードル部の先端部を前記ストッパ部材に当接させて該先端部の位置を位置決めするようにしたことを特徴とする。
【００１０】
請求項３の絞り装置は、請求項１または２に記載の絞り装置であって、前記弁座部材の前記一次室側に雌ねじ部を有するねじ穴が形成され、前記ストッパ部材が略円柱状の形状で外周に雄ねじ部が形成されるとともに、前記軸線Ｌ方向に導通孔が形成され、前記ねじ穴に前記ストッパ部材を螺合することにより、該ストッパ部材を前記弁座部材に取り付けるようにしたことを特徴とする。
【００１１】
請求項４の絞り装置は、請求項１乃至３のいずれか一項に記載の絞り装置であって、前記弁ポートの軸線と同軸にして前記本体ケース内の前記二次室側に配置され、円柱状のガイド孔により前記弁体をガイドする円筒状のガイド部材を備え、前記ガイド部材と前記本体ケースとの隙間を前記弁ポートから前記二次室に対して冷媒を送り出す本体側流路とするとともに、前記ガイド部材内の前記弁体の背空間を中間圧力室とし、前記弁ポートからの冷媒を前記中間圧力室に導入する中間圧力導入路を設けたことを特徴とする。
【発明の効果】
【００１２】
請求項１の絞り装置によれば、弁体の一次室側端部と弁ポートとの隙間はこの一次室側端部の軸線方向の移動により変化させることができる。したがって、ストッパ部材により弁体の一次室側端部の位置を決めることにより、最小隙間を正確に設定できる。
【００１３】
請求項２の絞り装置によれば、ニードル弁のニードル部は側面のテーパ角度（軸線Ｌを中心とする母線の会合角度）が鋭角になっているので、弁ポートとの隙間はこのニードル弁の軸線方向の移動により微小に変化させることができる。したがって、ストッパ部材によりニードル部の先端部の位置を決めることにより、最小隙間を正確に設定できる。また、ストッパ部材によりニードル弁が弁座部材に着座しない構造であり、ニードル弁が弁ポートに食い込んでしまう虞がない。
【００１４】
請求項３の絞り装置によれば、請求項１または２の効果に加えて、ストッパ部材の軸線Ｌ方向の位置を弁座部材に対するねじ込み量により調整できるので、最小隙間を容易に正確に設定できる。
【００１５】
請求項４の絞り装置によれば、請求項１乃至３のいずれか一項の効果に加え、弁体の背空間となる中間圧力室に、一次室の圧力に近い中間圧力を導入するようにしたので、一次室の圧力と二次室の圧力の差圧のみによる制御に比べて、より凝縮圧力に追従した制御が可能となり、二次室の圧力が高くなっても、凝縮圧力に従って冷房運転を継続することができる。
【図面の簡単な説明】
【００１６】
【図１】本発明の実施形態の絞り装置の縦断面図（図１（Ａ））及び平断面図（図１（Ｂ））である。
【図２】実施形態の絞り装置におけるストッパ部材の平面図（図２（Ａ））及び縦断面図（図２（Ｂ））である。
【図３】実施形態の冷凍サイクルの概略構成図である。
【図４】実施形態の絞り装置における冷媒の流れを説明する図である。る。
【発明を実施するための形態】
【００１７】
次に、本発明の絞り装置の実施形態を図面を参照して説明する。図１は実施形態の絞り装置の縦断面図（図１（Ａ））及び平断面図（図１（Ｂ））、図２は実施形態の絞り装置におけるストッパ部材の平面図（図２（Ａ））及び縦断面図（図２（Ｂ））、図３は実施形態の冷凍サイクルの概略構成図である。なお、図１（Ｂ）図は図１（Ａ）図におけるＡ−Ａ断面である。
【００１８】
まず、図３の冷凍サイクルについて説明する。この冷凍サイクルは、例えば車載用の空気調和機を構成しており、車両の動力が伝達される圧縮機１００と、凝縮器１１０と、実施形態の絞り装置１０と、蒸発器１２０とを有している。圧縮機１００で圧縮された冷媒は凝縮器１１０に供給され、この凝縮器１１０で冷却された冷媒は絞り装置１０に送られる。絞り装置１０は後述のように冷媒を膨張減圧して蒸発器１２０に送る。そして、この蒸発器１２０により車室内が冷却され、冷房の機能が得られる。蒸発器１２０で蒸発した冷媒は圧縮機１００に循環される。
【００１９】
図１に示すように、絞り装置１０は、金属管からなる本体ケース１と、金属製の弁座部材２と、ガイド部材３と、「弁体」としてのニードル弁４と、調整ねじ５と、「ばね部材」としてのコイルばね６と、ストッパ部材７とを備えている。なお、弁座部材２とガイド部材３は金属材の切削等により一体に形成されている。
【００２０】
本体ケース１は軸線Ｌを中心とする円筒状の形状で、前記凝縮器１１０に接続される一次室１１と前記蒸発器１２０に接続される二次室１２とを構成している。弁座部材２は本体ケース１の内面に整合する略円柱形状である。弁座部材２の外周面の全周（軸線Ｌ廻りの全周）には、かしめ溝２ａが形成されており、このかしめ溝２ａの位置で本体ケース１をかしめることにより、弁座部材２（及びガイド部材３）が本体ケース１内に固定されている。これにより、弁座部材２は一次室１１と二次室１２との間に配設されている。
【００２１】
また、弁座部材２には、軸線Ｌを中心とする円柱孔をなす弁ポート２１が形成されるとともに、弁座部材２と同軸にして弁ポート２１から一次室１１側に開口するねじ穴２２が形成されている。ねじ穴２２の内周には雌ねじ部２２ａが形成されている。
【００２２】
ガイド部材３は円筒状の形状であり弁座部材２から二次室１２内に立設されており、このガイド部材３と本体ケース１との隙間は本体側流路１３となっている。ガイド部材３は軸線Ｌを中心とする円柱状のガイド孔３１を有するとともに、弁座部材２に隣接する位置にガイド孔３１と外部（二次室１２）とを導通する開放孔３２が形成されている。また、ガイド孔３１の端部内周面には雌ねじ部３１ａが形成されている。
【００２３】
ニードル弁４は、先端部４１ａの端面を略平坦にした円錐状のニードル部４１と、ガイド部材３のガイド孔３１内に挿通される挿通部４２と、挿通部４２の端部に形成されたボス部４３とを有している。挿通部４２は略円柱状の形状をしており、この挿通部４２がガイド孔３１に挿通されることで、ニードル弁４は軸線Ｌに沿って移動するようにガイドされる。そして、ガイド孔３１のニードル弁４の背空間は、中間圧力室４４となっている。なお、ニードル部４１の先端部４１ａは「弁体の一次室側端部」であり、この先端部４１ａは、差圧に応じて絞り装置の弁開度を可変制御することで冷媒の流量を調整している際にニードル弁４が二次室１２側に移動して弁ポート２１の開度が最大となった時でも、弁ポート２１から外れないようなニードル部の一部分である。
【００２４】
また、挿通部４２の側面２カ所にはＤカット面４２ａが形成されており、このＤカット面４２ａとガイド孔３１の内面との隙間は、弁ポート２１側の空間から中間圧力室４４に通じる中間圧力導入路４５となっている。なお、ボス部４３には、ガイド孔３１の内周面にはねを摺接させた菊ばね４３ａが填め込まれている。この菊ばね４３ａにより、ニードル弁４とガイド孔３１とのクリアランスによるニードル弁４の振動が防止される。
【００２５】
調整ねじ５は略円柱状の形状で、その外周に雄ねじ部５ａが形成されるとともに、二次室１２側の端部にマイナスドライバを嵌合するスリット５ｂが形成されている。また、調整ねじ５にはその中心に抜き孔５１が貫通して形成されている。
【００２６】
コイルばね６は、ガイド孔３１内で菊ばね４３ａを介してニードル弁４と調整ねじ５との間に圧縮した状態で配設されている。そして、調整ねじ５は、その外周の雄ねじ部５ａをガイド孔３１の雌ねじ部３１ａに螺合することにより、ガイド部材３に取り付けられている。これにより、コイルばね６はニードル弁４を一次室１１側に付勢しており、このニードル弁４を付勢する付勢力は、調整ねじ５のガイド部材３に対するねじ込み量により調整される。
【００２７】
ストッパ部材７は略円柱状の形状で、その外周に雄ねじ部７ａが形成されている。また、このストッパ部材７には、軸Ｌ周りに３つの導通孔７１が形成されている。そして、ストッパ部材７は、その外周の雄ねじ部７ａを弁座部材２のねじ穴２２の雌ねじ部２２ａに螺合することにより、弁座部材２に取り付けられている。
【００２８】
図１の状態では、ニードル弁４のニードル部４１の先端部４１ａは、弁ポート２１から一次室１１側に突出している。このニードル部４１の先端部４１ａの端面はストッパ部材７のストッパ面７２に当接しており、このニードル部４１と弁ポート２１との間には隙間が形成されている。すなわち、ニードル弁４は弁座部材２に対して着座していない状態である。このニードル部４１と弁ポート２１との隙間は、一次室１１から二次室１２側への冷媒の流れを絞って膨張減圧する「オリフィス」となる。ニードル部４１の先端部４１ａの位置（弁体の一次室側端部の位置）はストッパ部材７により位置決めされる。このオリフィスを流れる冷媒の流量、すなわちブリード流量は、ストッパ部材７の弁座部材２に対するねじ込み量により調整できる。このように、ねじ込み量により調整できるので、ブリード流量をきわめて精度良く調整できる。ストッパ部材７の位置調整をした後は、ストッパ部材７は、例えば接着、ろう付け、かしめ等により弁座部材２に固定する。
【００２９】
以上の構成により、凝縮器１１０からの高圧冷媒は一次室１１に流入すると、図４に矢印で示すように、一次室１１の冷媒は、ストッパ部材７の導通孔７１から弁ポート２１とニードル部４１との隙間（オリフィス）を通ってガイド孔３１内に流出する。このガイド孔３１に流出した冷媒は分流され、一方の流れの冷媒はガイド部材３の開放孔３２から本体側流路１３に流れ、他方の流れの冷媒は中間圧力導入路４５を通って中間圧力室４４に流入する。本体側流路１３の冷媒はそのまま二次室１２に流れ込むが、中間圧力室４４の冷媒は、調整ねじ５の抜き孔５１を介して二次室１２に流れ出す。
【００３０】
ここで、一次室１１の冷媒の圧力をＰ１、中間圧力室４４の冷媒の圧力をＰＭ、二次室１２の冷媒の圧力をＰ２とする。中間圧力室４４には弁ポート２１の通過直後の冷媒が導入されるため、この中間圧力室４４の冷媒の圧力ＰＭは二次室１２側の冷媒の圧力Ｐ２より高くなる。すなわち、
Ｐ２＜ＰＭ＜Ｐ１
の関係になる。
このように、中間圧力室４４の圧力ＰＭは、二次室１２の圧力Ｐ２に比べて、一次室１１の圧力Ｐ１により近い圧力（中間圧力）とすることができる。
【００３１】
圧力Ｐ２と圧力ＰＭはニードル弁４に対して弁閉方向に力を及ぼし、圧力Ｐ１はニードル弁４に対して弁開方向に力を及ぼす。すなわち、Ｐ１とＰ２の差圧とＰ１とＰＭの差圧による力は、ニードル弁４に対して弁開方向に作用する。このニードル弁４に作用する差圧による力は、コイルばね６の付勢力とバランスして、ニードル弁４の位置すなわち弁ポート２１の開度が決まる。
【００３２】
したがって、この実施形態の場合と、中間圧力室４４及び中間圧力導入路４５が無く、二次室１２の圧力Ｐ２だけが弁閉方向に作用するような場合とを、同じ弁開度として比較すると、実施形態の場合のほうが、中間圧力室４４の圧力ＰＭの分だけ、後者よりもコイルばね６のばね定数を小さくすることができる。さらに、一次室１１の圧力Ｐ１とこの圧力Ｐ１に近い中間圧力室４４の圧力ＰＭとにより弁開度を決めることができるので、より凝縮圧力（凝縮器１１０の圧力）に追従した制御が可能となる。これにより、二次室１２の圧力が高くなっても、凝縮圧力に従って冷房運転を継続することができる。
【００３３】
また、本体側流路１３の流路面積Ａ１よりも、中間圧力導入路４５の流路面積Ａ２の方が小さくなっている。したがって、中間圧力導入路４５から中間圧力室４４に導入される冷媒は、本体側流路１３を流れる冷媒より流量が十分小さくなり、冷媒が中間圧力室４４内のコイルばね６を通過する際に、騒音が発生することもない。
【００３４】
また、ストッパ部材７によりニードル弁４が弁座部材２に着座しない構造になっているので、例えば冷凍サイクルに冷媒をチャージする時に二次側の配管からチャージして二次室１２に高圧が印加されても、ニードル部４１が弁ポート２１に食い込んでしまうようなことがない。さらに、前記のようにストッパ部材７によりニードル部４１と弁ポート２１との最小隙間（オリフィス）を確保する構造となっているので、仮に、この隙間に異物が詰まっても、ニードル弁４を開動作させることで、この異物を流してしまうことができる。すなわち、弁ポートの周囲やニードル部に小孔などのブリードポートを設ける構造では異物が詰まりっぱなしになる可能性があるが、実施形態ではそのようなことがない。
【００３５】
また、ストッパ部材７によりニードル部４１の位置を微調整できる構造となっているので、簡単な構造で弁ポート２１との最小隙間（オリフィス）を調整できるとともに、ストッパ部材７は弁ポート２１に連通する位置に設けてあるので、このストッパ部材７の取り付け部での裏洩れ等を全く考慮する必要がない。
【００３６】
以上の実施形態では、弁体がニードル弁である例について説明したが、本発明はこれに限らず、ボール弁や頂角の大きな円錐形状の弁などでもよい。この場合も、弁座部材に対して一次室側に配置したストッパ部材により、弁体の一次室側端部にストッパ部材を当接させて、この一次室側端部の位置を位置決めして弁体が弁座部材に着座しない構造とすれば、実施形態と同様に、ブリード量を弁座部材に対するねじ込み量により調整できる。
【００３７】
また、実施形態では、ストッパ部材を弁座部材に螺合して固定するようにしているので、最小隙間の設定作業が容易であるが、本発明はこれに限らず、弁体の一次室側端部の位置を位置決めできるストッパ部材であれば、ストッパ部材と弁体の構成は実施形態のものに限らない。
【００３８】
また、弁体は、ガイド部材に挿通する挿通部を有するボール弁や頂角の大きな円錐形状の弁などでもよい。この場合も、ガイド部材のガイド孔の弁体（挿通部）の背空間を中間圧力室とし、弁ポートから流出した冷媒の一部の冷媒を中間圧力導入路を通って中間圧力室に流入させれば、前記実施形態と同様に、凝縮圧力（凝縮器１１０の圧力）に追従した制御が可能となる。
【００３９】
また、上記実施形態では、弁体を弁ポート側に付勢するばね部材としてコイルばねを用いた例について説明したが、単一の板ばねや、複数の板ばねを積層したものをばね部材として用いることもできる。この場合も、実施形態と同様に、冷媒が中間圧力室内のばね部材を通過する際に、騒音が発生することもない。
【００４０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００４１】
１      本体ケース
１１    一次室
１２    二次室
１３    本体側流路
２      弁座部材
２１    弁ポート
２２    ねじ穴
２２ａ  雌ねじ部
３      ガイド部材
４      ニードル弁（弁体）
４１    ニードル部
４１ａ  先端部（一次室側端部）
４２    挿通部
４４    中間圧力室
４５    中間圧力導入路
５      調整ねじ
５１    抜き孔
６      コイルばね（ばね部材）
７      ストッパ部材
７ａ    雄ねじ部
７１    導通孔
Ｌ      軸線
【図１】
2015206541.tif 000003
【図２】
2015206541.tif 000004
【図３】
2015206541.tif 000005
【図４】
2015206541.tif 000006